(57)【要約】【課題】  ねじ機構が軸体から離れず、露出もしない形態を取る木工、金工等の加工用クランプを提供する。【解決手段】  一対のクランプ片を間隔を設けて軸体上に配置し、少なくとも一方のクランプ片を軸体に沿って移動可能とし、他方のクランプ片との間で部材を締め付ける加工用クランプについて、ねじ機構１５を構成する雌雄のねじの内の雌ねじ１６を軸体１１のパイプ状の端部開口部に設け、軸体１１の外側に位置するスライド筒１４の内部に雄ねじ２１を回転可能に設け、上記雌ねじ１６と螺合させるとともに、雄ねじ２１を回転操作するハンドル２５を設け、雄ねじ側の回転により雌ねじ側が回転せず直進し、スライド筒１４の外部に設けられている一方のクランプ片１２を軸体１１に沿って移動させるように、ガイド部３０を軸体１１とスライド筒１４との間に設ける。【選択図】          図１
2006341338.tif 000002
【特許請求の範囲】
【請求項１】
一対のクランプ片を間隔を設けて軸体上に配置し、少なくとも一方のクランプ片を軸体に沿って移動可能とし、他方のクランプ片との間で部材を締め付ける木工、金工等の加工用クランプであって、
ねじ機構を構成する雌雄のねじの内の雌ねじを軸体のパイプ状の端部開口部に設け、軸体の外側に位置するスライド筒の内部に雄ねじを回転可能に設け、上記雌ねじと螺合させるとともに、雄ねじを回転操作するハンドルを設け、雄ねじ側の回転により雌ねじ側が回転せず直進し、スライド筒の外部に設けられている一方のクランプ片を軸体に沿って移動させるように、ガイド部を軸体とスライド筒との間に設けた構成を有する加工用クランプ。
【請求項２】
一方のクランプ片が他方のクランプ片に対して離れる方向へ付勢されるように、軸体側の端部とスライド筒の内面端部との間にコイルばねなどの付勢部材を設けた構成を有する請求項１記載の加工用クランプ。
【発明の詳細な説明】
【技術分野】
【０００１】
本発明は、一対のクランプ片を間隔を設けて軸体上に配置し、少なくとも一方のクランプ片を軸体に沿って移動可能とし、他方のクランプ片との間で部材を締め付ける加工用クランプに関するものである。
【背景技術】
【０００２】
この種の手工具は木材同士を結合する目的で使用され、例えば家具製造等においてハタガネ（旗金）と呼ばれ使用されて来たものと同類である。一つの形態としては、旗竿にパイプ状の軸体を使用し、軸体上にて移動及び停止可能に一対のクランプ片を設け、その
内、一方のクランプ片をねじ機構により移動可能に設けたものがあるが、ねじ機構の中心軸は一対のクランプ片のクランプ部とほぼ一致した位置に設定されている。このクランプは、市販のガス管或いは水道管を軸体に利用するもので、それらを適当な長さに切断、クランプ金具及び必要な部品を取り付けて形成されることが特徴である。しかしその構造
上、ねじ機構が軸体から離れて位置し、かつ常に露出する形態を取る。また一対のクランプ片の一方がねじ機構により直接動かされるのに対して、他方のクランプ片はねじ機構による支えはない。
【０００３】
【非特許文献１】電気通信回線を通じて閲覧可能なＵＲＬ、http：//ｗｗｗ.ｔａｍａｃｒａｆｔ．ｃｏｍ／ｃａｔａｌｏｇ２.ｈｔｍｌに公開されているポニークランプ（品番＃５０、＃５２、＃５３）。
【発明の開示】
【発明が解決しようとする課題】
【０００４】
本発明は前記の点に着目してなされたもので、その課題は、ねじ機構が軸体から離れ
ず、露出しない形態を取る木工、金工等の加工用クランプを提供することである。また本発明の他の課題は、一対のクランプ片における部材を挟み込む作用の確実な加工用クランプを提供することである。
【課題を解決するための手段】
【０００５】
前記の課題を解決するため、本発明は、一対のクランプ片を間隔を設けて軸体上に配置し、少なくとも一方のクランプ片を軸体に沿って移動可能とし、他方のクランプ片との間で部材を締め付ける木工、金工等の加工用クランプについて、ねじ機構を構成する雌雄のねじの内の雌ねじを軸体のパイプ状の端部開口部に設け、軸体の外側に位置するスライド筒の内部に雄ねじを回転可能に設け、上記雌ねじと螺合させるとともに、雄ねじを回転操作するハンドルを設け、雄ねじ側の回転により雌ねじ側が回転せず直進し、スライド筒の外部に設けられている一方のクランプ片を軸体に沿って移動させるように、ガイド部を軸体とスライド筒との間に設けるという手段を講じたものである。
【０００６】
本発明の加工用クランプにおいても、一対のクランプ片とこれをスライド可能に配置する軸体を使用する。軸体は少なくとも端部がパイプ状の開口部となっている中空構造を有する。一対のクランプ片は、どちらも軸体上をスライド可能であることが望まれるけれども、ねじ機構により操作される一方のクランプ片が可動であれば、他方のクランプ片は必ずしも可動式でなくても良い。しかし、他方のクランプでも可動式であることは操作性を向上させる。
【０００７】
ねじ機構は、互いに螺合可能な雌ねじと雄ねじから成り、その内、雌ねじは、軸体のパイプ状の端部開口部に設ける。雄ねじは、軸体の外側に位置するスライド筒の内部にて回転可能に設ける。スライド筒の外部には一対のクランプ片の内の一方のクランプ片が外部に設けられている。これに対して他方のクランプ片は別の可動部材に設けられており、可動部材は軸体上を移動可能かつ任意の位置で停止可能な構成を有するが、この構成は従来から公知の任意のもので良い。
【０００８】
雄ねじは、軸体側の雌ねじと螺合して前進後退するが、その回転操作のために、スライド筒の外部に位置する軸体の一部にハンドルを設ける。雌ねじと雄ねじとの螺合トルクにより軸体とスライド筒との間に相対回転が生じないようにガイド部を設ける。このガイド部は、スライド筒に形成される軸体方向の長孔と、長孔から内部の軸体側に取り付けら
れ、長孔側壁に当たって回転止めとなる軸ピンによって構成することができる。また、一方のクランプ片が他方のクランプ片に対して離れる方向へ付勢されるように、軸体側の端部とスライド筒の内面端部との間にコイルばねなどの付勢部材を設けることができる。なお、本発明では構成部品を脱着可能に形成することが容易な構成になっている。
【発明の効果】
【０００９】
本発明は上記のように構成され、かつ作用するものであるから、ねじ機構が軸体の内部に収まり、露出しない形態を取ることができ、かつまた、一対のクランプ片の内、ハンドル操作される一方のクランプ片もねじ機構は軸体側にあり、他方のクランプ片と同様の作用をクランプされる部材に及ぼすことになるので、一方に片寄らず両方共ほぼ均等な仕方で部材を挟み込むことができるという効果を奏する。またいわゆるフトコロ寸法が小さくなるので全体の剛性が高まり、正確に平行を保って部材を挟み込むことができる。
【発明を実施するための最良の形態】
【００１０】
以下図示の実施形態を参照して本発明をより詳細に説明する。図１は本発明の加工用クランプ１０の１例を示すもので、軸体１１と、それに間隔を設けて配置可能な一対のクランプ片１２、１３とを有している。軸体１１は剛体であることを期待できるパイプ構造のもので、前記したようにガス管、或いは水道管に用いられる鋼管を利用するものとする。従って軸体１１の長さは任意であり、また内部は全体が中空である。
【００１１】
一方のクランプ片１２は軸体１１の外側に嵌挿されるスライド筒１４と一体に形成されており、スライド筒１４を軸体１１に沿ってねじ機構１５を用いて移動可能に設けてい
る。このために、ねじ機構１５を構成する雌ねじ１６を有する端部材１７が、軸体１１の端部に取り付けられている。１８、１９は、端部材１７を軸体端部に取り付けるためのねじ結合部を示す。ねじ機構１５は上記の雌ねじ１６と、それに螺合可能な雄ねじ２１とから成り、雄ねじ２１はハンドル軸２０に形成されている。
【００１２】
ハンドル軸２０は外方に位置する軸端部２２を有し、そこに端板２３を介してハンドル２５がナット２４により軸止めされている。軸端部２２はその断面形状により、ハンドル２５の軸孔２６とキー契合する。また、軸体側の端部である端部材１７の端面２７とスライド筒側の内面端部である端板２３の内面２８との間には、付勢部材２９としてコイル状のばねが介装されており、一方のクランプ１２を他方のクランプ片１３から離れる方向へ付勢している。２９ａはコイルの脱落防止ピンであり、スライド筒１４前端に取り付けられている。
【００１３】
さらに、雄ねじ側の回転操作により雌ねじ側が回転せず直進するように軸体１１とスライド筒１４との間にガイド部３０を設けている。例示のガイド部３０は、スライド筒１４に形成されている軸体軸線方向の長孔３１と、長孔３１から内部の軸体側部材である端部材１７に取り付けられている軸ピン３２とから成り、軸ピン３２は端部材１７に形成してあるねじ孔３３にねじ込みによって取り付けられる。
【００１４】
このような一方のクランプ片１２に対して他方のクランプ片１３は、軸体上を移動可能にかつ任意の位置で停止可能に、可動部材３４に設けられている。可動部材３４は、内部に、軸体１１に通す通口３５を有する係合片３６を複数個組み込んだもので、その通口３５の縁が傾斜時に軸体１１の外周面に食い込んで固定状態とするもので（図４）、係合方向に係合片３６を付勢する付勢手段３７としてばねを組み合わせている。３６ａは操作部であり、係合片３６を起こして移動させる際に使用する。３８は操作部窓、また２５ａはハンドルノブを示す。
【００１５】
上記のように構成されている本発明の加工用クランプ１０は、目的とする部材４０の両側に一対のクランプ片１２、１３を当てがい、一方のクランプ片１２をねじ機構１５により締め付けるようにする（図３参照）。図５、図６により詳細に示されているように、例えば右ねじの場合にはハンドル２５を右回転させると、雌ねじ１６と雄ねじ２１の螺合が進行し、一方のクランプ１２を他方のクランプ１３の方向へ接近させることになる。このため一方のクランプ１２は他方のクランプ１３とともに、目的の部材４０を挟み込み、両側から締め付け、例えば部材４０の接着剤が乾燥するまでの間その状態を保持するものである。締め付けのための操作により、付勢部材２９は圧縮されている。そこで作業終了後に一方のクランプ１２を離す場合には付勢手段２９に蓄積されている弾発力により、楽に一方のクランプ１２を元の位置に戻すことができる。
【００１６】
一方のクランプ１２もまた他方のクランプ１３も、夫々の挟持面１２ａ、１３ａは、軸体１１の軸先４１に対して直交していることが望ましい（図３参照）。また、本発明のものは一方のクランプ１２が軸体上でねじ機構１５による駆動力を受けており、挟持面１２ａは他方のクランプ１３の挟持面１３ａと同じように軸体１１から離れた位置にあり、従って両挟持面１２ａ、１３ａは部材４０に対して均等に作用する。さらにハンドル２５の回転に伴う回転力が部材４０に及ぶこともほとんどない。
【００１７】
本発明のものは、ハンドル軸がスライド筒１４内にあるため、クランプしたまま部材を加工したときに加工屑などが付着せず、作業上問題を起こさない。
【００１８】
軸袋１１とスライド筒１４が一体になっており、従来の雄ねじ先端に荷重が掛かる方式のように、軸の変形や破損を防止することができる。
【００１９】
全ての部品を脱着可能に構成することが容易であるから、分解、組み立て、及びそれを繰り返すことが容易に行える。
【図面の簡単な説明】
【００２０】
【図１】本発明に係る加工用クランプの例１を示す斜視図。
【図２】同上の分解斜視図。
【図３】同じく一部破断側面図。
【図４】他方のクランプの断面説明図。
【図５】締め付けのための操作を示す断面図。
【図６】同じく締め付け作用を示す断面図。
【符号の説明】
【００２１】
１０  加工用クランプ
１１  軸体
１２  一方のクランプ
１３  他方のクランプ
１４  スライド筒
１５  ねじ機構
１６  雌ねじ
１７  端部材
２０  ハンドル軸
２１  雄ねじ
２３  端板
２５  ハンドル
２９  付勢部材
３０  ガイド部
３１  長孔
３２  軸ピン
３４  可動部材
３６  係合片
【図１】
2006341338.tif 000003
【図２】
2006341338.tif 000004
【図３】
2006341338.tif 000005
【図４】
2006341338.tif 000006
【図５】
2006341338.tif 000007
【図６】
2006341338.tif 000008